(57)【要約】【課題】動作時に生じる衝撃を緩和する上で有利なハートカム機構および電子機器を提供する。【解決手段】ＵＳＢメモリ１０は、キャップ２６がミッドボディ２２上を移動し、キャップ２６はハートカム機構２８により、メモリ側ＵＳＢコネクタ１２を収納する収納位置と、メモリ側ＵＳＢコネクタ１２を露出させる使用位置とに保持される。ハートカム機構２８は、ハートカム３６と、弾性部材３８と、スプリング４０を含んで構成されている。キャップ２６が、スプリング４０の付勢力によって第３の位置から収納位置に向けて移動される際、カムピン４２は、第３カム部６８の第１減速部７２に接触し、弾性部材３８が弾性変形されることによりキャップ２６の収納位置に向かう速度が減速される。【選択図】図１５
2009140037.tif 000002
【特許請求の範囲】
【請求項１】
第１部材に直線移動可能に結合された第２部材と、
前記第２部材に設けられたハートカムと、
前記移動方向に細長形状を呈しその長手方向の一端が前記第１部材に取り付けられその長手方向の他端に前記ハートカムに係合するカムピンが設けられた弾性変形可能な弾性部材とを備え、
前記ハートカムのカム溝は、前記移動方向と平行する方向に延在する直線状カム部と、前記直線状カム部の先端から延在する曲線状の第１カム部と、第１カム部に続く曲線状の第２カム部と、第２カム部に続き前記直線状カム部の先端に繋がる曲線状の第３カム部を有し、
前記カムピンが、前記先端と離れた前記直線状カム部の基端に位置した状態で前記第２部材は第１の位置となり、前記カムピンが、前記第２カム部に位置した状態で前記第２部材は前記第１の位置から前記移動方向に離れた第２の位置となり、前記カムピンが、前記第２カム部寄りの前記第１カム部の端部および前記第２カム部寄りの前記第３カム部の端部に位置した状態で前記第２部材は前記第２の位置よりも前記第１の位置から離れる方向に変位した第３の位置となり、
前記２部材を前記第１の位置に位置する方向に付勢するスプリングが前記第１部材と前記第２部材とにわたって設けられたハートカム機構であって、
前記直線状カム部の前記先端に、前記カムピンを介して前記弾性部材を弾性変形させ前記スプリングの付勢力による前記第２部材の前記第３の位置から前記第１の位置に向かう速度を減速する第１減速部が設けられている、
ことを特徴とするハートカム機構。
【請求項２】
前記第１減速部を構成するカム溝は、前記第１の位置と前記第３の位置とを結ぶ方向に対して４５度以上９０度以下の傾斜をもって延在形成されている、
ことを特徴とする請求項１記載のハートカム機構。
【請求項３】
前記基端寄りに位置する前記第１減速部に、前記カムピンを介して前記弾性部材を弾性変形させ前記スプリングの弾性力による前記第２部材の前記第３の位置から前記第１の位置に向かう速度を減速する第２減速部が連設されている、
ことを特徴とする請求項１記載のハートカム機構。
【請求項４】
前記第２部材は、前記第３の位置から前記第１の位置に向かう方向において前記第１の位置が前記第２部材が移動できる限界の位置となっており、
前記第１部材と前記第２部材とにわたり前記第３の位置から前記第１の位置に向かう方向において前記第２部材の移動範囲を前記第１の位置に規制するストッパ機構が設けられている、
ことを特徴とする請求項１記載のハートカム機構。
【請求項５】
前記弾性部材は直線状に延在する本体部を有し、
前記カムピンは前記本体部の長手方向の一端に設けられ、
前記本体部の長手方向の他端が前記第１部材に取り付けられる取り付け部となっており、
前記カムピンが前記直線状カム部の基端に位置した状態で前記本体部は撓まずに直線状に延在しており、
前記第１カム部と前記第３カム部は、前記直線状に延在する前記本体部の延長線を挟んだ互いに反対の箇所に位置し、
前記カムピンが前記第１カム部に位置した状態では、前記取り付け部の第１の箇所を中心として前記本体部は撓み、
前記カムピンが前記第３カム部に位置した状態では、前記取り付け部の第２の箇所を中心として前記本体部は前記撓む方向とは逆方向に撓み、
前記第２の箇所は、前記第１の箇所よりも、前記カムピン側に偏位した箇所である、
ことを特徴とする請求項１記載のハートカム機構。
【請求項６】
前記第１部材に前記弾性部材を取り付けるためのＵ字状の壁部が設けられ、
前記Ｕ字状の壁部は、互いに対向する２辺と、それら２辺を接続する湾曲辺とを有し、
前記弾性部材は直線状に延在する本体部を有し、
前記カムピンは前記本体部の長手方向の一端に設けられ、
前記本体部の長手方向の他端が前記Ｕ字状の壁部に取り付けられる取り付け部となっており、
前記取り付け部は、前記互いに対向する２辺のうちの一方の１辺に保持された第１直線部と、前記湾曲辺に当て付けられた湾曲部と、前記互いに対向する２辺のうちの他方の１辺に係合される第２直線部とを有し、
前記互いに対向する２辺は、前記第１の位置と前記第３の位置とを結ぶ方向と平行する方向に延在し、
前記本体部と前記第２直線部とは直線状に連続しており、
前記カムピンが前記直線状カム部の基端に位置した状態で前記第２直線部と前記本体部は撓まずに直線状に延在しており、
前記第１カム部と前記第３カム部は、前記直線状に延在する前記本体部の延長線を挟んだ互いに反対の箇所に位置し、
前記カムピンが前記第１カム部に位置した状態では、前記湾曲部を中心として前記第２直線部と前記本体部は撓み、
前記カムピンが前記第３カム部に位置した状態では、前記第２直線部は前記他方の１辺に当て付けられ、前記第２直線部と前記本体部との境の箇所を中心として前記本体部は前記撓む方向とは逆方向に撓む、
ことを特徴とする請求項１記載のハートカム機構。
【請求項７】
前記弾性部材は直線状に延在する本体部を有し、
前記カムピンは前記本体部の長手方向の一端に設けられ、
前記本体部の長手方向の他端が前記第１部材に取り付けられる取り付け部となっており、
前記カムピンが前記直線状カム部の基端に位置した状態で前記本体部は撓まずに直線状に延在しており、
前記第１カム部と前記第３カム部は、前記直線状に延在する前記本体部の延長線を挟んだ互いに反対の箇所に位置し、
前記カムピンが前記第１カム部に位置した状態では、前記取り付け部の第１の箇所を中心として前記本体部は撓み、
前記カムピンが前記第３カム部に位置した状態では、前記取り付け部の第２の箇所を中心として前記本体部は前記撓む方向とは逆方向に撓み、
前記本体部の撓み量は、前記カムピンが前記第３カム部に位置した状態の撓み量よりも前記第１カム部に位置した状態の撓み量が大きく、
前記第１の箇所は、前記第２の箇所よりも、前記カムピンから離れた方向に偏位した箇所である、
ことを特徴とする請求項１記載のハートカム機構。
【請求項８】
第１部材と、
前記第１部材に直線移動可能に結合された第２部材と、
前記第１部材と前記第２部材とにわたって設けられたハートカム機構とを備えた電子機器であって、
前記ハートカム機構は、
前記第２部材に設けられたハートカムと、
前記移動方向に細長形状を呈しその長手方向の一端が前記第１部材に取り付けられその長手方向の他端に前記ハートカムに係合するカムピンが設けられた弾性変形可能な弾性部材とを備え、
前記ハートカムのカム溝は、前記移動方向と平行する方向に延在する直線状カム部と、前記直線状カム部の先端から延在する曲線状の第１カム部と、第１カム部に続く曲線状の第２カム部と、第２カム部に続き前記直線状カム部の先端に繋がる曲線状の第３カム部を有し、
前記カムピンが、前記先端と離れた前記直線状カム部の基端に位置した状態で前記第２部材は第１の位置となり、前記カムピンが、前記第２カム部に位置した状態で前記第２部材は前記第１の位置から前記移動方向に離れた第２の位置となり、前記カムピンが、前記第２カム部寄りの前記第１カム部の端部および前記第２カム部寄りの前記第３カム部の端部に位置した状態で前記第２部材は前記第２の位置よりも前記第１の位置から離れる方向に変位した第３の位置となり、
前記２部材を前記第１の位置に位置する方向に付勢するスプリングが前記第１部材と前記第２部材とにわたって設けられ、
前記直線状カム部の前記先端に、前記カムピンを介して前記弾性部材を弾性変形させ前記スプリングの付勢力による前記第２部材の前記第３の位置から前記第１の位置に向かう速度を減速する第１減速部が設けられている、
ことを特徴とする電子機器。
【請求項９】
前記電子機器はＵＳＢメモリであり、
前記ＵＳＢメモリは、ＵＳＢコネクタが組み込まれたミッドボディと、前記ミッドボディ上にスライド可能に設けられたキャップとを備え、
前記第１部材は前記ミッドボディであり、
前記第２部材は前記キャップであり、
前記キャップが前記第１の位置に位置した状態で前記ＵＳＢコネクタは前記キャップで覆われて前記ＵＳＢコネクタの収納位置となり、
前記キャップが前記第２の位置に位置した状態で前記ＵＳＢコネクタが露出して前記ＵＳＢコネクタの使用位置となる、
ことを特徴とする請求項８記載の電子機器。
【請求項１０】
前記電子機器は撮像装置であり、
前記撮像装置は、撮影光学系が組み込まれた筐体と、前記筐体にスライド可能に設けられ前記撮影光学系を遮蔽、露出させるレンズバリアとを備え、
前記第１部材は前記筐体であり、
前記第２部材は前記レンズバリアであり、
前記レンズバリアが前記第１の位置に位置した状態で前記撮影光学系は前記レンズバリアで覆われて前記撮影光学系の遮蔽位置となり、
前記レンズバリアが前記第２の位置に位置した状態で前記撮影光学系が露出して前記撮影光学系の使用位置となる、
ことを特徴とする請求項８記載の電子機器。
【発明の詳細な説明】
【技術分野】
【０００１】
本発明はハートカム機構および電子機器に関する。
【背景技術】
【０００２】
パーソナルコンピュータなどのホストに装着して使用する補助記憶装置としてＵＳＢメモリが提供されている。
ＵＳＢメモリはメモリ側ＵＳＢコネクタを有し、このメモリ側ＵＳＢコネクタを、ホストに設けられたホスト側ＵＳＢコネクタ（ＵＳＢポート）に接続することで使用する。
多くの場合、ＵＳＢメモリは、メモリ側ＵＳＢコネクタが設けられた本体と、メモリ側ＵＳＢコネクタに取り外し可能に装着される防塵用のキャップとを備えている。
ところが、ＵＳＢメモリをホストに装着する際に外したキャップを紛失しがちであることから、本体に対してキャップをスライド可能にかつ取り外し不能に設けると共に、キャップが突出してメモリ側ＵＳＢコネクタを覆う収納位置と、キャップが後退してメモリ側ＵＳＢコネクタを露出させる露出位置とに選択的に位置させるものが提供されている。
このようなキャップを収納位置と露出位置とに選択的に位置させる機構として、従来公知のハートカム機構を用いることが考えられる（特許文献１参照）。
【特許文献１】特開２０００−２０７４９７
【発明の開示】
【発明が解決しようとする課題】
【０００３】
しかしながら、従来のハートカム機構では、ばねなどの付勢力を用いてキャップを収納位置に向けて付勢しておき、キャップを露出位置に位置させた際にはばねが蓄勢されキャップに大きな付勢力がかかった状態となる。
そのため、露出位置から収納位置に移動すると、ばねの付勢力によりキャップが勢いよく移動し、キャップと本体とが衝突することによって大きな衝撃や振動が発生する。
このような衝撃や振動は、プリント配線基板に半田付けによって実装されたメモリ側ＵＳＢコネクタや電子部品にストレスを与えるため、部品や半田付け部分の劣化や破損が懸念される。
本発明はこのような事情に鑑みなされたもので、その目的は、動作時に生じる衝撃を緩和する上で有利なハートカム機構および電子機器を提供することにある。
【課題を解決するための手段】
【０００４】
上述の目的を達成するため、本発明は、第１部材に直線移動可能に結合された第２部材と、前記第２部材に設けられたハートカムと、前記移動方向に細長形状を呈しその長手方向の一端が前記第１部材に取り付けられその長手方向の他端に前記ハートカムに係合するカムピンが設けられた弾性変形可能な弾性部材とを備え、前記ハートカムのカム溝は、前記移動方向と平行する方向に延在する直線状カム部と、前記直線状カム部の先端から延在する曲線状の第１カム部と、第１カム部に続く曲線状の第２カム部と、第２カム部に続き前記直線状カム部の先端に繋がる曲線状の第３カム部を有し、前記カムピンが、前記先端と離れた前記直線状カム部の基端に位置した状態で前記第２部材は第１の位置となり、前記カムピンが、前記第２カム部に位置した状態で前記第２部材は前記第１の位置から前記移動方向に離れた第２の位置となり、前記カムピンが、前記第２カム部寄りの前記第１カム部の端部および前記第２カム部寄りの前記第３カム部の端部に位置した状態で前記第２部材は前記第２の位置よりも前記第１の位置から離れる方向に変位した第３の位置となり、前記２部材を前記第１の位置に位置する方向に付勢するスプリングが前記第１部材と前記第２部材とにわたって設けられたハートカム機構であって、前記直線状カム部の前記先端に、前記カムピンを介して前記弾性部材を弾性変形させ前記スプリングの付勢力による前記第２部材の前記第３の位置から前記第１の位置に向かう速度を減速する第１減速部が設けられていることを特徴とする。
また本発明は、第１部材と、前記第１部材に直線移動可能に結合された第２部材と、前記第１部材と前記第２部材とにわたって設けられたハートカム機構とを備えた電子機器であって、前記ハートカム機構は、前記第２部材に設けられたハートカムと、前記移動方向に細長形状を呈しその長手方向の一端が前記第１部材に取り付けられその長手方向の他端に前記ハートカムに係合するカムピンが設けられた弾性変形可能な弾性部材とを備え、前記ハートカムのカム溝は、前記移動方向と平行する方向に延在する直線状カム部と、前記直線状カム部の先端から延在する曲線状の第１カム部と、第１カム部に続く曲線状の第２カム部と、第２カム部に続き前記直線状カム部の先端に繋がる曲線状の第３カム部を有し、前記カムピンが、前記先端と離れた前記直線状カム部の基端に位置した状態で前記第２部材は第１の位置となり、前記カムピンが、前記第２カム部に位置した状態で前記第２部材は前記第１の位置から前記移動方向に離れた第２の位置となり、前記カムピンが、前記第２カム部寄りの前記第１カム部の端部および前記第２カム部寄りの前記第３カム部の端部に位置した状態で前記第２部材は前記第２の位置よりも前記第１の位置から離れる方向に変位した第３の位置となり、前記２部材を前記第１の位置に位置する方向に付勢するスプリングが前記第１部材と前記第２部材とにわたって設けられ、前記直線状カム部の前記先端に、前記カムピンを介して前記弾性部材を弾性変形させ前記スプリングの付勢力による前記第２部材の前記第３の位置から前記第１の位置に向かう速度を減速する第１減速部が設けられていることを特徴とする。
【発明の効果】
【０００５】
本発明によれば、第１部材に対して第２部材を第１の位置と第３の位置との間で移動させるハートカムに、第２部材の第１の位置に向かう速度を減速する第１減速部を設けたので、第１部材と第２部材とが衝突して発生する衝撃を緩和することができる。
したがって、例えば、第１部材に電子部品が組み込まれている場合には、電子部品にストレスを与えることがなく、電子部品の劣化や破損を防止でき、耐久性や信頼性の向上を図る上で有利となる。
また、ハートカム機構を構成する弾性部材を弾性変形させることで第２部材の速度の減速が行われるので、減速のための専用の部材を設けることなく減速でき、したがって、何ら部品点数を増やさずに電子部品の劣化や破損を防止でき、耐久性や信頼性の向上を図る上で有利となる。
【発明を実施するための最良の形態】
【０００６】
次に、本発明のハートカム機構を電子機器に適用した実施の形態について図面を参照して説明する。
本実施の形態では電子機器はＵＳＢメモリである。
図１（Ａ）はコネクタの収納状態を示すＵＳＢメモリ１０の斜視図、（Ｂ）はコネクタの突出状態を示す斜視図、図２、図３はＵＳＢメモリ１０の分解斜視図、図４はＵＳＢメモリ１０の制御系を示すブロック図である。
まず、図４を参照してＵＳＢメモリ１０の制御系について説明する。
ＵＳＢメモリ１０は、パーソナルコンピュータなどのホストのＵＳＢコネクタ（ＵＳＢポート）に接続されて使用される補助記憶装置である。
ＵＳＢメモリ１０はプリント配線基板２０を有し、プリント配線基板２０にメモリ側ＵＳＢコネクタ１２、ＵＳＢインターフェース部１４、メモリ制御部１６、メモリ部１８、などが設けられている。
メモリ側ＵＳＢコネクタ１２は、ホスト２に設けられているホスト側ＵＳＢコネクタ４に装脱可能に接続されるものである。
ＵＳＢインターフェース部１４は、ＵＳＢメモリ側コネクタ１２がホスト側ＵＳＢコネクタ４に接続されたことを認識すると共に、ＵＳＢのプロトコルに基づいたホスト２とＵＳＢメモリ１０とのデータ通信の制御を行うものである。
メモリ制御部１６は、ＵＳＢインターフェース部１４を介してホスト２から供給されるデータをメモリ１８に書き込むと共に、メモリ１８から読み出したデータをＵＳＢインターフェース部１４を介してホスト２に供給するものである。
メモリ部１８は、不揮発性でランダムアクセスが可能な記憶素子で構成され、このような記憶素子としてフラッシュメモリが用いられている。
ＵＳＢインターフェース部１４、メモリ制御部１６、メモリ部１８は、それぞれＬＳＩや周辺回路を構成する受動部品やスイッチなどの種々の電子部品を含んで構成されている。
プリント配線基板２０は、図２、図３に示すように、細長い矩形板状を呈し、長手方向の一端にメモリ側ＵＳＢコネクタ１２が半田付けにより実装され、プリント配線基板２０の厚さ方向の両面には、ＵＳＢインターフェース部１４、メモリ制御部１６、メモリ部１８を構成するＬＳＩや図示しない電子部品が半田付けによって実装されている。
本実施の形態では、ＵＳＢインターフェース部１４とメモリ制御部１６が１つのＬＳＩによって構成され、メモリ部１８が２つ設けられている場合を示すが、ＵＳＢインターフェース部１４、メモリ制御部１６、メモリ部１８の構成や数は任意である。
【０００７】
図２、図３に示すように、ＵＳＢメモリ１０は、プリント基板２０を収容するミッドボディ２２と、ミッドボディ２２に取着されるエンドボディ２４と、ミッドボディ２２にスライド可能（直線移動可能）に設けられたキャップ２６と、ミッドボディ２２とキャップ２６間に設けられたハートカム機構２８などを含んで構成されている。
キャップ２６がミッドボディ２２上を移動し、キャップ２６はハートカム機構２８により、メモリ側ＵＳＢコネクタ１２を収納する収納位置（特許請求の範囲の第１の位置）と、メモリ側ＵＳＢコネクタ１２を露出させる使用位置（特許請求の範囲の第２の位置）とに保持される。
ハートカム機構２８は、ハートカム３６（図１３）と、弾性部材３８と、スプリング４０を含んで構成されている。
なお、本実施の形態では、ミッドボディ２２が特許請求の範囲の第１部材を構成しており、キャップ２６が特許請求の範囲の第２部材を構成している。
【０００８】
図５はミッドボディ２２、エンドボディ２４、弾性部材３８の分解斜視図、図６はミッドボディ２２に対する弾性部材３８の組み付け説明図、図７はミッドボディ２２に弾性部材３８が組み付けられた平面図、図８はミッドボディ２２に弾性部材３８が組み付けられた斜視図、図９（Ａ）はミッドボディ２２の収容部４４の平面図、（Ｂ）は（Ａ）のＸＸ線断面図、（Ｃ）は（Ａ）のＹＹ線断面図、図１０（Ａ）はミッドボディ２２の下面図、（Ｂ）は（Ａ）のＢＢ線断面図である。
図５、図１０に示すように、ミッドボディ２２は断面矩形の細長い筒状を呈し、上下方向の厚さと、厚さよりも大きな寸法の左右方向の幅と、幅よりも大きな寸法の長さとを有し、長さ方向の両端は開放されている。
ミッドボディ２２は、厚さ方向の両側に位置する上壁３０および下壁３２と、上壁３０および下壁３２の左右の側部を接続する左右の側壁３４とを有している。
プリント基板２０は、その長手方向をミッドボディ２２の長手方向と合致させた状態でミッドボディ２２の上壁３０、下壁３２、左右の側壁３４で囲まれた断面矩形状の空間に収容保持され、この状態でメモリ側ＵＳＢコネクタ１２の大部分がミッドボディ２２の一方の開口から露出される。
エンドボディ２４は、ミッドボディ２２の断面形状よりも一回り大きな断面形状を有し、図５、図７に示すように、メモリ側ＵＳＢコネクタ１２と反対側に位置するミッドボディ２２の長手方向の端部に取着され該端部の開口を閉塞している。
【０００９】
図５、図６に示すように、ミッドボディ２２の上壁３０に、ハートカム機構２８を構成する弾性部材３８の収容部４４が設けられている。
収容部４４は、図７、図８に示すように、弾性部材３８の弾性変形を許容する凹部４６と、凹部４６の端部に設けられた弾性部材３８を取り付けるためのＵ字状の壁部５０とを有している。
Ｕ字状の壁部５０は、図９（Ａ）に示すように、凹部４６の底面から膨出され、互いに対向する２辺５００２、５００４と、この２辺５００２、５００４の端部を接続する湾曲辺５００６とを有している。
互いに対向する２辺５００２、５００４は、収納位置と使用位置とを結ぶ方向と平行する方向に延在している。
前記２辺のうちの１辺５００２には、図９（Ｂ）に示すように、弾性部材３８が嵌め込まれ保持される保持溝５２が形成されている。
また、湾曲辺５００６と対向する凹部４６の側壁には、図９（Ａ）、（Ｃ）に示すように、湾曲辺５００６と協働して弾性部材３８を挟む凸部５４が形成されている。
また、前記２辺のうちの残りの１辺５００４の端部には、図９（Ｂ）に示すように、弾性部材３８の側面の一部が係合される凹部５６が設けられている。
また、図６、図１０に示すように、ミッドボディ２２の上壁３０および下壁３２には、ミッドボディ２２の長手方向と平行に延在する直線状の溝部５７が形成されている。
【００１０】
弾性部材３８は、ばね鋼線により構成されている。
弾性部材３８は、図６に示すように、直線状に延在する本体部３８Ａを有し、ハートカム３６に係合するカムピン４２が本体部３８Ａの長手方向の一端に設けられている。
本体部３８Ａの長手方向の他端は、Ｕ字状の壁部５０に取り付けられる取付部３８Ｂとなっている。
取り付け部３８Ｂは、図９（Ａ）、（Ｂ）、（Ｃ）に示すように、互いに対向する２辺５００２、５００４のうちの一方の１辺５００２に保持された第１直線部３８０２と、湾曲辺５００６に当て付けられた湾曲部３８０４と、互いに対向する２辺５００２、５００４のうちの他方の１辺５００４に係合される第２直線部３８０６とを有し、本体部３８Ａと第２直線部３８０６とは直線状に連続している。
弾性部材３８は、第１直線部３８０２が、図９（Ｂ）に示すように、保持溝５２に保持され、湾曲部３８０４の中間部が、図９（Ｃ）に示すように、湾曲辺５００６と凸部５４により挟持され、第２直線部３８０６が、図９（Ｂ）に示すように、凹部５６に係合して収容部４４に配設され、この状態で、カムピン４２を除く弾性部材３８の部分が上壁３０の表面よりもミッドボディ２２の内側に位置し、カムピン４２のみが上壁３０の表面よりも上方に突出する。
【００１１】
図１１はキャップ２６の上下を反転した斜視図、図１２（Ａ）は図１１のＡＡ線断面図、（Ｂ）は（Ａ）のＢＢ線断面図、（Ｃ）は（Ａ）の要部拡大図、図１３はハートカム３６とカムピン４２の係合状態を示す斜視図、図１４はミッドボディ２２が収容されたキャップ２６の断面図である。
キャップ２６は、図１１、図１４に示すように、ミッドボディ２２がその内部に収容される大きさの断面矩形の細長い筒状を呈し、上下方向の厚さと、厚さよりも大きな寸法の左右方向の幅と、幅よりも大きな寸法の長さとを有し、長さ方向の両端は開放されている。
図２、図３に示すように、キャップ２６の内部にミッドボディ２２が挿入され、ハートカム機構２８を構成するスプリング４０は、ミッドボディ２２の内側でプリント配線基板２０を巻装する大きさのコイル状に形成されている。スプリング４０の一端は、プリント配線基板２０またはミッドボディ２２に取着され、スプリング４０の他端は、キャップ２６の内面に取着され、スプリング４０は、キャップ２６を収納位置（図１（Ｂ））に常時付勢している。
図１４に示すように、キャップ２６の内部にミッドボディ２２が収容された状態で、ミッドボディ２２の上壁３０および下壁３２（図１０（Ａ））に形成された溝部５７に臨むキャップ２６の内面には、図１２（Ｂ）に示すように、２つの溝部５７にスライド可能に係合する凸部２７がそれぞれ形成されている。
キャップ２６は、使用位置（第２の位置）から収納位置（第１の位置）に向かう方向において（または後述する第３の位置から第１の位置に向かう方向において）第１の位置がキャップ２６が移動できる限界の位置となっており、キャップ２６とミッドボディ２２とにわたり使用位置（第２の位置）から収納位置（第１の位置）に向かう方向においてキャップ２６の移動範囲を収納位置（第１の位置）に規制するストッパ機構８０が設けられている。ストッパ機構８０は凸部２７と溝部５７とにより構成されている。
【００１２】
ハートカム３６は、図１２（Ａ）、（Ｃ）に示すように、キャップ２６の内面に形成されている。この内面は、キャップ２６の内部にミッドボディ２２が収容された状態で、ミッドボディ２２の上壁３０に対向する面である。
図１５（Ｂ）に示すように、ハートカム３６のカム溝６０は、収納位置と収納位置とを結ぶ方向と平行する方向に延在する直線状カム部６２と、直線状カム部６２の先端から延在する曲線状の第１カム部６４と、第１カム部６４に続く曲線状の第２カム部６６と、第２カム部６６に続き直線状カム部６２の先端に繋がる曲線状の第３カム部６８を備えている。
図１６（Ａ）に示すように、カムピン４２が、前記先端と離れた直線状カム部６２の基端７０に位置した状態でキャップ２６は収納位置（第１の位置）となる。
また、図２０に示すように、カムピン４２が、第２カム部６６（詳細には第２カム部６６の凹部６６Ａ（図１６（Ａ））に位置した状態でキャップ２６は使用位置（第２の位置）となる。
また、カムピン４２が、第２カム部６６寄りの第１カム部６４の端部および第２カム部６６寄りの第３カム部６８の端部に位置した状態でキャップ２６は使用位置（第２の位置）よりも収納位置（第１の位置）から離れる方向に変位した第３の位置となる。
【００１３】
カムピン４２が直線状カム部６２の基端７０に位置した状態で、第２直線部３８０６と本体部３８Ａは図９（Ａ）の符号Ｐ０に示すように撓まずに直線状に延在する。
第１カム部６４と第３カム部６８は、直線状に延在する本体部３８Ａの延長線を挟んだ互いに反対の箇所に位置しており、カムピン４２が第１カム部６４に係合した状態と、カムピン４２が第３カム部６８に係合した状態とでは本体部３８Ａの撓む方向が逆向きとなる。より詳細に説明すると、第１カム部６４と第３カム部６８は、直線状カム部６２の延長線を挟んだ互いに反対の箇所に位置しており、前記延長線に対する第１カム部６４の撓み量は、前記延長線に対する第３カム部６８の撓み量よりも大きい。
すなわち、カムピン４２が第１カム部６４に位置した状態では、凸部５４と、壁部５０の湾曲辺５００６とで挟持された湾曲部３８０４の箇所（特許請求の範囲の第１の箇所）を中心として第２直線部３８０６と本体部３８Ａは図９（Ａ）の符号Ｐ１に示すように撓み、カムピン４２は第１カム部６４のカム溝の第３カム部６８寄りの側面に接触する。
また、カムピン４２が第３カム部６８に位置した状態では、第２直線部３８０６は凹部５６に係合することで他方の１辺５００４に当て付けられ、第２直線部３８０６と本体部３８Ａとの境の箇所（特許請求の範囲の第２の箇所）を中心として本体部３８Ａは図９（Ａ）の符号Ｐ２に示すように前記撓む方向とは逆方向で前記撓み量に比べ小さな撓み量で撓み、カムピン４２は第３カム部６８のカム溝の第１カム部６４寄りの側面に接触する。
したがって、第２直線部３８０６と本体部３８Ａとが撓む際の支点となる凹部５６の端部５６Ａ（図９（Ａ））は、本体部３８Ａが撓む際の支点となる凸部５４と壁部５０の湾曲辺５００６とが向かい合う箇所よりも、カムピン４２側に偏位した箇所である。
また、本実施の形態では、カムピン４２が第１カム部６４に位置し撓み量が大きい場合には、本体部３８Ａと第２直線部３８０６とが撓み、カムピン４２が第３カム部６８に位置し撓み量が小さい場合には、本体部３８Ａのみが撓み、すなわち、湾曲部３８０４の箇所（特許請求の範囲の第１の箇所）を、第２直線部３８０６と本体部３８Ａとの境の箇所（特許請求の範囲の第２の箇所）よりも、カムピン４２から離れた方向に偏位した箇所とし、撓み量が大きい場合には弾性部材３８の長い部分を撓ませ、撓み量が小さい場合には弾性部材３８の短い部分を撓ませ、弾性部材３８の撓む際の支点を異ならせている。
【００１４】
そして、図１５（Ｂ）に示すように、第３カム部６８に、カムピン４２を介して弾性部材３８を弾性変形させ、スプリング４０の付勢力によるキャップ２６の収納位置に向かう速度を減速する第１減速部７２が設けられている。
図１４（Ｂ）に示すように、第１減速部７２を構成するカム溝６０は、使用位置（または第３の位置）と収納位置（第１の位置）とを結ぶ方向に対して４５度以上９０度以下の傾斜（図１４（Ｂ）において角度θで示す）をもって延在形成されている。
さらに本実施の形態では、基端７０寄りに位置する第１減速部７２に、カムピン４２を介して弾性部材３８を弾性変形させスプリング４０の弾性力によるキャップ２６の収納位置（第１の位置）に向かう速度を減速する第２減速部６２が連設されている。
【００１５】
次にハートカム機構２８の動作について説明する。
図１５（Ａ）はキャップ２６が収納位置（第１の位置）から使用位置（第２の位置）に移動する際のハートカム３６上におけるカムピン４２の軌跡を示す説明図、（Ｂ）はキャップ２６が使用位置（第２の位置）から収納位置（第１の位置）に移動する際のハートカム３６上におけるカムピン４２の軌跡を示す説明図である。
図１６はキャップ２６の収納位置（第１の位置）を示すハートカム機構２８の動作説明図、図１７はカムピン４２が基端７０から使用位置（第２の位置）に向かって移動した状態を示すハートカム機構２８の動作説明図、図１８はカムピン４２が第１カム部６４に位置した状態を示すハートカム機構２８の動作説明図、図１９はカムピンが第２カム部６６に位置した状態を示すハートカム機構２８の動作説明図である。
図２０はキャップ２６の使用位置（第２の位置）を示すハートカム機構２８の動作説明図、図２１はカムピン４２が第３の位置に向けて移動した状態を示すハートカム機構２８の動作説明図、図２２はカムピン４２が第３カム部６８に位置した状態を示すハートカム機構２８の動作説明図、図２３はカムピン４２が第３カム部６８の第１減速部７２に接触した状態を示すハートカム機構２８の動作説明図、図２４はカムピン４２が第３カム部６８から直線状カム部６２にした状態を示すハートカム機構２８の動作説明図、図２５はカムピン４２が第２減速部７４に接触した状態を示すハートカム機構２８の動作説明図、図２６はキャップ２６の収納位置（第１の位置）を示すハートカム機構２８の動作説明図である。
【００１６】
まず、メモリ側ＵＳＢコネクタ１２を覆う収納位置（第１の位置）にあるキャップ２６を、メモリ側ＵＳＢコネクタ１２を露出させる使用位置（第２の位置）に移動する際の動作について説明する。
図１６に示すように、キャップ２６の収納位置ではカムピン４２はハートカム３６の直線状カム部６２の基端７０に位置している。
キャップ２６を指で把持し収納位置から使用位置に向けてスプリング４０の付勢力に抗して動かすと、図１７、図１８に示すように、カムピン４２は直線状カム部６２から第１カム部６４に移動し、弾性部材３８の第２直線部３８０６と本体部３８Ａが撓む。
さらに、図１９に示すようにキャップ２６を露出方向に動かすと、カムピン４２は、第２カム部６６寄りの第１カム部６４の端部に位置し、キャップ２６は第３の位置となる。
ここで、キャップ２６から指を離すと、キャップ２２はスプリング４０の付勢力により第３の位置から使用位置（第２の位置）に向けて移動し、カムピン４２は弾性部材３８の弾性力により第１カム部６４から第２カム部６６に移動し、図２０に示すように、カムピン４２が第２カム部６６（凹部６６Ａ）に係合することでキャップ２６は使用位置（第２の位置）に留められ、キャップ２６の先端からメモリ側ＵＳＢコネクタ１８が露出する。
この状態で、メモリ側ＵＳＢコネクタ１８をホスト２のホスト側ＵＳＢコネクタ４に装着することでＵＳＢメモリ１０を使用する。
【００１７】
次に、メモリ側ＵＳＢコネクタ１２を露出させる使用位置（第２の位置）にあるキャップ２６を、メモリ側ＵＳＢコネクタ１２を覆う収納位置（第１の位置）に移動する際の動作について説明する。
図２０に示すように、キャップ２６の使用位置（第２の位置）ではカムピン４２はハートカム３６の第２カム部６６（凹部６６Ａ）に係合しており、この状態でメモリ側ＵＳＢコネクタ１８がホスト２のホスト側ＵＳＢコネクタ４に装着されているものとする。
ここで、キャップ２６を把持し、ホスト２のホスト側ＵＳＢコネクタ４からメモリ側ＵＳＢコネクタ１８を引き抜く方向に移動させる。
すると、図２１に示すように、カムピン４２は弾性部材３８の弾性力により第２カム部６６から、第２カム部６６寄りの第３カム部６８の端部に移動し、キャップ２６は第３の位置に停止する。
さらに、第３の位置に停止したキャップ２６を移動させると、カムピン４２が第３カム部６８のカム溝の外側の側面６８２０（図２１参照）に当接していることから、メモリ側ＵＳＢコネクタ１８がホスト側ＵＳＢコネクタ４から引き抜かれる。
メモリ側ＵＳＢコネクタ１８がホスト側ＵＳＢコネクタ４から引き抜かれると、キャップ２６は、図２２に示すように、スプリング４０の付勢力によって第３の位置から収納位置（第１の位置）に向けて移動され、カムピン４２は第３カム部６８から直線状カム部６２に向かって移動する。カムピン４２が直線状カム部６２に至ると、図２３に示すように、カムピン４２は、直線状カム部６２の第１減速部７２に接触し、弾性部材３８が弾性変形されることによりキャップ２６の収納位置に向かう速度が減速される。
そして、キャップ２６は、スプリング４０の付勢力によって収納位置（第１の位置）に向けて移動され、図２４に示すように、カムピン４２は直線状カム部６２内を基端７０に向かって移動する。
さらなるキャップ２６の移動により、図２５に示すように、カムピン４２は第２減速部７４に接触し、弾性部材３８が弾性変形されることによりキャップ２６の収納位置に向かう速度が減速され、カムピン４２は基端７０に向かって移動する。
そして、図２６に示すように、ストッパ機構８０によりキャップ２６が収納位置（第１の位置）に留められ、カムピン４２が基端７０に位置し、メモリ側ＵＳＢコネクタ１２がキャップ２６で覆われる。
これにより、ＵＳＢメモリ１０は携帯に適した状態となる。
【００１８】
以上説明したように本実施の形態によれば、ミッドボディ２２（第１部材）に対してキャップ２６（第２部材）を収納位置（第１の位置）と使用位置（第２の位置）との間で移動させるハートカム３６に、キャップ２６の収納位置（第１の位置）に向かう速度を減速する第１減速部７２を設けたので、キャップ２６とミッドボディ２２とが衝突して発生する衝撃を緩和することができる。
したがって、キャップ２６を収納位置（第１の位置）に移動させる際に、プリント配線基板２０に半田付けによって実装されたメモリ側ＵＳＢコネクタ１２や電子部品にストレスを与えることがなく、電子部品や半田付け部分の劣化や破損を防止でき、耐久性や信頼性の向上を図る上で有利となる。
また、ハートカム機構２８を構成する弾性部材３８を弾性変形させることでキャップ２６の速度の減速が行われるので、減速のための専用の部材を設けることなく減速でき、したがって、何ら部品点数を増やさずに電子部品や半田付け部分の劣化や破損を防止でき、耐久性や信頼性の向上を図る上で有利となる。
【００１９】
また、本実施の形態では、第１減速部７２に加えて、ハートカム３６に、カムピン４２を介して弾性部材３８を弾性変形させスプリング４０の付勢力によるキャップ２６の収納位置（第１の位置）に向かう速度を減速する第２減速部７４を設けたので、キャップ２６とミッドボディ２２とが衝突して発生する衝撃を緩和する上でより有利となり、耐久性や信頼性の向上を図る上でより有利となる。
また、本実施の形態では、カムピン４２が第１減速部７２に接触する部分と、カムピン４２が第２減速部７４に接触する部分とが、カムピン４２の外周面の異なる部分であることから、カムピン４２の磨耗する箇所を分散でき、カムピン４２の耐久性の向上を図る上で有利となる。
また、本実施の形態では、弾性部材３８は、カムピン４２が第１カム部６４に位置した状態では、湾曲部３８０４の箇所（特許請求の範囲の第１の箇所）を中心として第２直線部３８０６と本体部３８Ａが撓み、カムピン４２が第３カム部６８に位置した状態では、第２直線部３８０６と本体部３８Ａとの境の箇所（特許請求の範囲の第２の箇所）を中心として本体部３８Ａは前記撓む方向とは逆方向に撓む。
したがって、カムピン４２が第１カム部６４に位置した状態と、カムピン４２が第３カム部６８に位置した状態では、弾性部材３８が撓む支点が異なるため、弾性部材３８が同一の箇所を支点として撓む場合に比べ弾性部材３８の耐久性を高める上で有利となる。
また、本実施の形態では、カムピン４２が第１カム部６４に位置した状態における弾性部材３８の撓み量と、カムピン４２が第３カム部６８に位置した状態における弾性部材３８の撓み量とでは、カムピン４２が第１カム部６４に位置した状態における弾性部材３８の撓み量が大きく設定されており、これに対応させカムピン４２が第１カム部６４に位置した状態と、カムピン４２が第３カム部６８に位置した状態では、弾性部材３８が撓む支点を異ならせ、弾性部材３８の撓み量が大きい場合には、弾性部材３８の可撓範囲を大きく確保し、弾性部材３８の撓み量が小さい場合には、弾性部材３８の可撓範囲を小さく確保するようにしたので、弾性部材３８を必要最小限の長さとすることができる。
【００２０】
なお、本実施の形態では、本発明のハートカム機構２８をＵＳＢメモリ１０に適用した場合について説明したが、本発明はＵＳＢメモリ１０に限定されるものではなく、種々の電子機器に適用可能である。
例えば、本発明を、撮影光学系が組み込まれた筐体と、筐体にスライド可能に設けられ撮影光学系を遮蔽、露出させるレンズバリアとを備えた撮像装置に適用することができる。
その場合、第１部材は筐体であり、第２部材はレンズバリアであり、レンズバリアが第１の位置に位置した状態で撮影光学系はレンズバリアで覆われた遮蔽位置となり、レンズバリアが第２の位置に位置した状態で撮影光学系が露出する使用位置となるように構成されている。
【図面の簡単な説明】
【００２１】
【図１】（Ａ）はコネクタの収納状態を示すＵＳＢメモリ１０の斜視図、（Ｂ）はコネクタの突出状態を示す斜視図である。
【図２】ＵＳＢメモリ１０の分解斜視図である。
【図３】ＵＳＢメモリ１０の分解斜視図である。
【図４】ＵＳＢメモリ１０の制御系を示すブロック図である。
【図５】ミッドボディ２２、エンドボディ２４、弾性部材３８の分解斜視図である。
【図６】ミッドボディ２２に対する弾性部材３８の組み付け説明図である。
【図７】ミッドボディ２２に弾性部材３８が組み付けられた平面図である。
【図８】ミッドボディ２２に弾性部材３８が組み付けられた斜視図である。
【図９】（Ａ）はミッドボディ２２の収容部４４の平面図、（Ｂ）は（Ａ）のＸＸ線断面図、（Ｃ）は（Ａ）のＹＹ線断面図である。
【図１０】（Ａ）はミッドボディ２２の下面図、（Ｂ）は（Ａ）のＢＢ線断面図である。
【図１１】キャップ２６の上下を反転した斜視図である。
【図１２】（Ａ）は図１１のＡＡ線断面図、（Ｂ）は（Ａ）のＢＢ線断面図、（Ｃ）は（Ａ）の要部拡大図である。
【図１３】ハートカム３６とカムピン４２の係合状態を示す斜視図である。
【図１４】ミッドボディ２２が収容されたキャップ２６の断面図である。
【図１５】（Ａ）はキャップ２６が収納位置（第１の位置）から使用位置（第２の位置）に移動する際のハートカム３６上におけるカムピン４２の軌跡を示す説明図、（Ｂ）はキャップ２６が使用位置（第２の位置）から収納位置（第１の位置）に移動する際のハートカム３６上におけるカムピン４２の軌跡を示す説明図である。
【図１６】キャップ２６の収納位置（第１の位置）を示すハートカム機構２８の動作説明図である。
【図１７】カムピン４２が基端７０から使用位置（第２の位置）に向かって移動した状態を示すハートカム機構２８の動作説明図である。
【図１８】カムピン４２が第１カム部６４に位置した状態を示すハートカム機構２８の動作説明図である。
【図１９】カムピンが第２カム部６６に位置した状態を示すハートカム機構２８の動作説明図である。
【図２０】キャップ２６の使用位置（第２の位置）を示すハートカム機構２８の動作説明図である。
【図２１】カムピン４２が第３の位置に向けて移動した状態を示すハートカム機構２８の動作説明図である。
【図２２】カムピン４２が第３カム部６８に位置した状態を示すハートカム機構２８の動作説明図である。
【図２３】カムピン４２が第３カム部６８の第１減速部７２に接触した状態を示すハートカム機構２８の動作説明図である。
【図２４】カムピン４２が第３カム部６８から直線状カム部６２にした状態を示すハートカム機構２８の動作説明図である。
【図２５】カムピン４２が第２減速部７４に接触した状態を示すハートカム機構２８の動作説明図である。
【図２６】キャップ２６の収納位置（第１の位置）を示すハートカム機構２８の動作説明図である。
【符号の説明】
【００２２】
１０……ＵＳＢメモリ、２２……ミッドボディ、２６……キャップ、２８……ハートカム機構、３６……ハートカム、３８……弾性部材、４０……スプリング、４２……カムピン、６０……カム溝、６２……直線状カム部、６４……第１カム部、６６……第２カム部、６８……第３カム部、７０……基端、７２……第１減速部。
【図１】
2009140037.tif 000003
【図２】
2009140037.tif 000004
【図３】
2009140037.tif 000005
【図４】
2009140037.tif 000006
【図５】
2009140037.tif 000007
【図６】
2009140037.tif 000008
【図７】
2009140037.tif 000009
【図８】
2009140037.tif 000010
【図９】
2009140037.tif 000011
【図１０】
2009140037.tif 000012
【図１１】
2009140037.tif 000013
【図１２】
2009140037.tif 000014
【図１３】
2009140037.tif 000015
【図１４】
2009140037.tif 000016
【図１５】
2009140037.tif 000017
【図１６】
2009140037.tif 000018
【図１７】
2009140037.tif 000019
【図１８】
2009140037.tif 000020
【図１９】
2009140037.tif 000021
【図２０】
2009140037.tif 000022
【図２１】
2009140037.tif 000023
【図２２】
2009140037.tif 000024
【図２３】
2009140037.tif 000025
【図２４】
2009140037.tif 000026
【図２５】
2009140037.tif 000027
【図２６】
2009140037.tif 000028